(57)【要約】【課題】指で把持し易く、また、例えばテーブル等に置いたときに転がり難い収納容器および試験具包装体を提供すること。【解決手段】収納容器２は、体液成分測定装置に装着して用いられる試験具を収納するものである。この収納容器２は、基端側が開口した有底筒状をなすケーシング３と、ケーシング３の内面に設けられ、試験具を保持する保持部４と、ケーシング３の外周部に突出し、その中心軸方向に沿って延在し、かつ、周方向に沿って等間隔に配置された、横断面形状がほぼ矩形をなす６本のリブ５ａ〜５ｆとを有し、試験具を収納した収納状態で収納容器２を指で把持して、収納状態の試験具を基端側から体液成分測定装置に装着する。【選択図】図１
2010162170.tif 000002
【特許請求の範囲】
【請求項１】
体液成分測定装置に装着して用いられる試験具を収納する収納容器であって、
基端側が開口した有底筒状をなすケーシングと、
前記ケーシングの内面に設けられ、前記試験具を保持する保持部と、
前記ケーシングの外周部に突出し、その中心軸方向に沿って延在し、かつ、周方向に沿って等間隔に配置された、横断面形状がほぼ矩形をなす５本または６本のリブとを有し、
前記試験具を収納した収納状態で前記収納容器を指で把持して、前記収納状態の試験具を基端側から前記体液成分測定装置に装着することを特徴とする収納容器。
【請求項２】
前記ケーシングの中心軸から前記リブの頂部までの最大距離が５〜１０ｍｍである請求項１に記載の収納容器。
【請求項３】
当該収納容器を水平な平面に載置した際、２本の前記リブがそれぞれ前記平面に当接し、その当接間距離は、前記最大距離の２０〜７０％である請求項２に記載の収納容器。
【請求項４】
前記各リブは、それぞれ、その高さが幅よりも小さい請求項１ないし３のいずれかに記載の収納容器。
【請求項５】
前記各リブは、それぞれ、その頂部が平坦な形状をなす請求項１ないし４のいずれかに記載の収納容器。
【請求項６】
隣接する前記リブ同士は、互いに先端の位置が前記中心軸方向にズレている請求項１ないし５のいずれかに記載の収納容器。
【請求項７】
隣接する前記リブ同士の間隔は、２〜１０ｍｍである請求項１ないし６のいずれかに記載の収納容器。
【請求項８】
前記各リブは、それぞれ、その頂部と側部との境界部が丸みを帯びている請求項１ないし７のいずれかに記載の収納容器。
【請求項９】
前記リブの数は、６本であり、
隣接する前記リブ同士は、互いに高さが異なっており、
高さが低い前記リブと高さが高い前記リブとは、前記ケーシングの周方向に沿って交互に配置されている請求項１ないし８のいずれかに記載の収納容器。
【請求項１０】
隣接する前記リブ同士の高さの差は、２〜７ｍｍである請求項９に記載の収納容器。
【請求項１１】
重心が前記中心軸に対して偏心している請求項１ないし１０のいずれかに記載の収納容器。
【請求項１２】
前記試験具は、外形形状が円形をなす本体部を有するものであり、
前記保持部は、前記本体部の外周部と嵌合する嵌合構造をなす請求項１ないし１１のいずれかに記載の収納容器。
【請求項１３】
請求項１ないし１２のいずれかに記載の収納容器と、
前記収納容器内に収納される試験具と、
前記ケーシングの開口部を気密的に封止する封止手段とを備えることを特徴とする試験具包装体。
【発明の詳細な説明】
【技術分野】
【０００１】
本発明は、収納容器および試験具包装体に関する。
【背景技術】
【０００２】
従来から、両端に鋭利な針先を有する両頭針（ニードルハブ・アッセンブリ）と、両頭針に対し着脱自在に装着され、その装着状態で両頭針の先端側の部分を覆うキャップ（外側カバー）とを備える穿刺具が知られている（例えば、特許文献１参照）。このキャップは、筒状をなし、その外周部に８本以上のリブが軸方向に沿って形成されている。そして、これらのリブは、キャップの外周部の周方向に沿って等間隔に配置されている。このように形成されたリブは、例えば、穿刺具を注入ペン（薬剤注射装置）に回して取り付け、キャップを離脱させるときに、当該穿刺具が指先から滑らないように（把持し易くなるように）滑り止めとして機能する。
【０００３】
ところで、血糖値（体液成分）の測定を行なう際には、血糖測定装置（体液成分測定装置）が用いられる。この血糖測定装置は、発色試薬を担持した試験紙を有する血糖測定用チップ（試験具）を装着して測定を行なうように構成されている。この血糖測定用チップは、未使用状態では筒状の収納容器に収納されているものがあり、該血糖測定用チップを血糖測定装置に装着するとき、手あか等で汚れないように、血糖測定用チップは、収納容器に収納されたまま収納容器を手で把持して血糖測定装置の装着部に押し付けて嵌合させ、該血糖測定用チップのみを装着する。
【０００４】
一方、糖尿病患者には、高齢者が多く、手指が不自由であったり、手が震えたりする者や、視力が弱い者がいる。このような患者にとっては、収納容器を把持して当該収納容器内の血糖測定用チップを血糖測定装置に装着する操作を正確に行なうことが困難な場合が少なくない。
【０００５】
この収納容器に特許文献１に記載のキャップのリブを適用して、当該収納容器を持ち易いものとすることが考えられるが、単に適用しただけであると、血糖測定用チップを収納した状態の収納容器を例えばテーブルに置いたときに、当該収納容器が不本意に転がってしまい、測定準備に支障をきたす。あるいは、テーブルから落下すれば、床に衝突した際の衝撃で、血糖測定用チップが収納容器から離脱してしまい、床に接して汚染されてしまう。また、使用済みの血糖測定用チップを破棄する際にも転がり易いと無くし易い。このように、糖尿病患者等の使用者にとって、指によくフィットして把持し易い形状であるとともに、テーブル等に置いたときに転がり難い形状の容器が求められている。
【先行技術文献】
【特許文献】
【０００６】
【特許文献１】特開２００１−２８６５６２号公報
【発明の概要】
【発明が解決しようとする課題】
【０００７】
本発明の目的は、指で把持し易く、また、例えばテーブル等に置いたときに転がり難い収納容器および試験具包装体を提供することにある。
【課題を解決するための手段】
【０００８】
このような目的は、下記（１）〜（１３）の本発明により達成される。
（１）  体液成分測定装置に装着して用いられる試験具を収納する収納容器であって、
基端側が開口した有底筒状をなすケーシングと、
前記ケーシングの内面に設けられ、前記試験具を保持する保持部と、
前記ケーシングの外周部に突出し、その中心軸方向に沿って延在し、かつ、周方向に沿って等間隔に配置された、横断面形状がほぼ矩形をなす５本または６本のリブとを有し、
前記試験具を収納した収納状態で前記収納容器を指で把持して、前記収納状態の試験具を基端側から前記体液成分測定装置に装着することを特徴とする収納容器。
【０００９】
（２）  前記ケーシングの中心軸から前記リブの頂部までの最大距離が５〜１０ｍｍである上記（１）に記載の収納容器。
【００１０】
（３）  当該収納容器を水平な平面に載置した際、２本の前記リブがそれぞれ前記平面に当接し、その当接間距離は、前記最大距離の２０〜７０％である上記（２）に記載の収納容器。
【００１１】
（４）  前記各リブは、それぞれ、その高さが幅よりも小さい上記（１）ないし（３）のいずれかに記載の収納容器。
【００１２】
（５）  前記各リブは、それぞれ、その頂部が平坦な形状をなす上記（１）ないし（４）のいずれかに記載の収納容器。
【００１３】
（６）  隣接する前記リブ同士は、互いに先端の位置が前記中心軸方向にズレている上記（１）ないし（５）のいずれかに記載の収納容器。
【００１４】
（７）  隣接する前記リブ同士の間隔は、２〜１０ｍｍである上記（１）ないし（６）のいずれかに記載の収納容器。
【００１５】
（８）  前記各リブは、それぞれ、その頂部と側部との境界部が丸みを帯びている上記（１）ないし（７）のいずれかに記載の収納容器。
【００１６】
（９）  前記リブの数は、６本であり、
隣接する前記リブ同士は、互いに高さが異なっており、
高さが低い前記リブと高さが高い前記リブとは、前記ケーシングの周方向に沿って交互に配置されている上記（１）ないし（８）のいずれかに記載の収納容器。
【００１７】
（１０）  隣接する前記リブ同士の高さの差は、２〜７ｍｍである上記（９）に記載の収納容器。
【００１８】
（１１）  重心が前記中心軸に対して偏心している上記（１）ないし（１０）のいずれかに記載の収納容器。
【００１９】
（１２）  前記試験具は、外形形状が円形をなす本体部を有するものであり、
前記保持部は、前記本体部の外周部と嵌合する嵌合構造をなす上記（１）ないし（１１）のいずれかに記載の収納容器。
【００２０】
（１３）  上記（１）ないし（１２）のいずれかに記載の収納容器と、
前記収納容器内に収納される試験具と、
前記ケーシングの開口部を気密的に封止する封止手段とを備えることを特徴とする試験具包装体。
【００２１】
また、本発明の収納容器では、前記収納容器を指で把持した際、該指の一部が、隣接する前記リブ同士の間に入り込むのが好ましい。
【００２２】
また、本発明の収納容器では、前記ケーシングは、その外周部の途中に外径が変化することにより形成された段差部を有し、該段差部の先端側に位置する小径部と、前記段差部の基端側に位置し、前記小径部よりも外径が大きい大径部とに分けられ、
前記各リブは、それぞれ、前記小径部に形成されているのが好ましい。
【００２３】
また、本発明の収納容器では、前記各リブは、それぞれ、その高さが前記段差部の高さと同じかまたは低いものであるのが好ましい。
【００２４】
また、本発明の収納容器では、前記各リブは、それぞれ、前記ケーシングの先端からその途中まで延在しているのが好ましい。
【００２５】
また、本発明の収納容器では、前記境界部の曲率半径は、０．５〜２ｍｍであるのが好ましい。
【００２６】
また、本発明の試験具包装体では、前記封止手段は、可撓性を有するシート材で構成されているのが好ましい。
【発明の効果】
【００２７】
本発明によれば、例えばリブの形成数が２本〜４本または７本以上である場合やこれらのリブの横断面形状がそれぞれ半円状や三角形である場合に比べて、収納容器を例えば３本の指で把持した際、各指がケーシングの中心軸回りに等角度間隔に配置されるとともに、各指の腹（指先）が隣接するリブ同士の間に確実に入り込む。その結果、収納容器を把持した使用者は、当該収納容器を指で把持し易くなり、収納容器内の試験具（チップ）を体液成分測定装置に装着し易くなる。
【００２８】
また、例えば水平な平面上に収納容器を載置した際、平面に接する２つのリブ同士の接点間距離を比較的大きく確保することができる。これにより、収納容器が転動し難くなる。また、仮にこの平面が傾斜していたり、収納容器が転動するような不本意な力が収納容器に作用した場合でも、収納容器が転動するには、当該収納容器の重心の鉛直方向の位置が変化しなければならない（重心が上下動しなければならない）ため、結果、収納容器の転動が防止（または抑制）される。
【図面の簡単な説明】
【００２９】
【図１】本発明の試験具包装体（収納容器）の第１実施形態を示す斜視図である。
【図２】図１に示す試験具包装体を矢印Ａ側から見た図（側面図）である。
【図３】図２中のＣ−Ｃ線断面図である。
【図４】図２中のＤ−Ｄ線断面図である。
【図５】図１に示す試験具包装体の試験具を体液成分測定装置に装着するときの図（縦断面図）である。
【図６】図５で体液成分測定装置に装着された試験具から収納容器を取り外すときの図である。
【図７】３本の指で把持された図１に示す試験具包装体（収納容器）を矢印Ｂ側から見た図（平面図）である。
【図８】２本の指で把持された図１に示す試験具包装体（収納容器）を矢印Ｂ側から見た図（平面図）である。
【図９】図１に示す試験具包装体（収納容器）が転がり難いものであることを説明するための図である。
【図１０】本発明の試験具包装体（収納容器）の第２実施形態を示す平面図である。
【図１１】本発明の試験具包装体（収納容器）の第３実施形態を示す斜視図である。
【図１２】本発明の試験具包装体（収納容器）の第４実施形態を示す横断面図である。
【図１３】本発明の試験具包装体（収納容器）の第５実施形態を示す横断面図である。
【図１４】本発明の試験具包装体（収納容器）の第６実施形態を示す横断面図である。
【発明を実施するための形態】
【００３０】
以下、本発明の収納容器および試験具包装体を添付図面に示す好適な実施形態に基づいて詳細に説明する。
【００３１】
＜第１実施形態＞
図１は、本発明の試験具包装体（収納容器）の第１実施形態を示す斜視図、図２は、図１に示す試験具包装体を矢印Ａ側から見た図（側面図）、図３は、図２中のＣ−Ｃ線断面図、図４は、図２中のＤ−Ｄ線断面図、図５は、図１に示す試験具包装体の試験具を体液成分測定装置に装着するときの図（縦断面図）、図６は、図５で体液成分測定装置に装着された試験具から収納容器を取り外すときの図、図７は、３本の指で把持された図１に示す試験具包装体（収納容器）を矢印Ｂ側から見た図（平面図）、図８は、２本の指で把持された図１に示す試験具包装体（収納容器）を矢印Ｂ側から見た図（平面図）、図９は、図１に示す試験具包装体（収納容器）が転がり難いものであることを説明するための図である。なお、以下では、説明の都合上、図１中の右上側を「基端」、左下側を「先端」と言い、図２中の右側を「基端」、左側を「先端」と言い、図５および図６中の左側を「基端」、右側を「先端」と言う。
【００３２】
図１に示す試験具包装体１は、試験具１０と、試験具１０を収納する収納容器２と、試験具１０とともに収納容器２に収納される乾燥剤６０と、収納容器２（ケーシング（容器本体）３）の基端開口部（開口部）３６を気密的に封止する封止手段としてのシート材７０とを備えている。
【００３３】
図５（図６も同様）に示すように、試験具１０は、体液成分測定装置（以下単に「成分測定装置」と言う）１００の試験具装着部１０１に装着して使用されるものであり、試験具本体（本体部）２０と、該試験具本体２０の図５中上面（先端側の面）側に突出形成された細管３０と、試験具本体２０の図５中下面（基端側の面）側に立設された複数（図示の構成では４つ）の爪４０と、試験具本体２０の下面側に設置された試験紙５０とで構成されている。
【００３４】
試験具本体２０は、その全体形状（外形形状）が円盤状をなしている。なお、試験具本体２０の平面視での形状は、円形（円盤状）に限らず、例えば、四角形、六角形、八角形等の多角形や、その他の任意の形状であってもよい。試験具本体２０の下面（基端面）２３０側には、試験紙５０を支持、固定するための支持部２１０が形成されている。試験紙５０は、その外周部において、例えば融着または接着剤による接着等の方法により支持部２１０に固定される。
【００３５】
図６に示すように、成分測定装置１００の試験具装着部１０１に試験具１０を装着した状態（以下「装着状態」と言う）では、下面２３０が試験具装着部１０１の先端に当接し、試験具１０の図６中左右方向（試験紙５０の法線方向）の位置決めを行う。すなわち、試験具本体２０は、それ自体が試験具１０の試験具装着部１０１に対する位置決め機能を有している。
【００３６】
細管３０は、血液等のような体液（検体）を採取するためのものであり、その内部には、検体導入流路３１０が形成されている。この検体導入流路３１０は、試験紙５０に対しほぼ直交する方向に延在しており、その先端には検体流入口３２０、その基端には検体流出口３３０がそれぞれ形成されている。血液は、毛細管現象により検体導入流路３１０を通って試験紙５０へ供給される。
【００３７】
また、細管３０の先端面には、検体導入流路３１０に連通する溝３４０が形成されている。図示の例では、溝３４０は、細管３０の径方向に延在する直線状の溝である。この溝３４０の各端部は、それぞれ細管３０の外周面に開放している。この溝３４０を設けたことにより、血液を採取するにあたり細管３０の先端面を指等の表面に接触させた際、検体導入流路３１０（検体流入口３２０）が塞がれず、血液の流入路が確保されるので、血液の試験紙５０への供給を円滑かつ確実に行うことができる。なお、溝３４０の形状、本数、配置等は、図示のものに限定されず、例えば、溝３４０を十文字状にしてもよい。
【００３８】
試験具本体２０の下面２３０側には、４本の爪４０（アンカー：位置決め部材）が等角度間隔で立設されている。なお、爪４０の形成数は、４つに限定されず、例えば、２つ、３つまたは５つ以上であってもよい。
【００３９】
各爪４０の外面には、その基端部に突部４２０が突出形成されている。装着状態では、各爪４０は、試験具装着部１０１に形成されたリング状の凹部１０２に挿入されるが、このとき、各爪４０の突部４２０は、縮径部１０３を乗り越えて係合する。これにより、試験具１０は、試験具装着部１０１に対し、試験紙５０の面方向の位置決めがなされる。
【００４０】
試験具１０は、試験具本体２０と細管３０と４つの爪４０とが一体的に形成されたものであり、好ましくは樹脂材料で構成されている。特に、検体を迅速に導入、展開するのに適したものとして、アクリル系樹脂等の親水性の高い材料または親水化処理されたものが好ましい。
【００４１】
試験紙５０は、検体（血液）を吸収し得る担体に、試薬（発色試薬）を担持（含浸）させたものである。この担体は、好ましくは多孔質シートで構成されている。
【００４２】
試験紙５０に担持される試薬としては、血糖値測定用の場合、グルコースオキシターゼ（ＧＯＤ）と、ペルオキシターゼ（ＰＯＤ）と、例えば４−アミノアンチピリン、Ｎ−エチル−Ｎ−（２−ヒドロキシ−３−スルホプロピル）−ｍ−トルイジンのような発色剤（発色試薬）とが挙げられ、その他、測定成分に応じて、例えばアスコルビン酸オキシダーゼ、アルコールオキシダーゼ、コレステロールオキシダーゼ等の血液成分と反応するものと、前記と同様の発色剤（発色試薬）とが挙げられる。また、緩衝剤や安定化剤等を適宜選択して用い得る。なお、試薬の種類、成分については、これらに限定されないことは言うまでもない。
【００４３】
以上述べた試験具１０は、未使用の状態では、収納容器２に収納され、保管されている（以下、この状態を「収納状態」と言う）。そして、収納状態の試験具１０は、収納容器２ごと指で把持され（図５参照）、その基端側から成分測定装置１００の試験具装着部１０１に装着される。装着が完了した後、収納容器２を試験具１０から引き離して離脱させ（図６参照）、試験具１０が装着された成分測定装置１００（試験具１０）が測定に供される。ここで、成分測定装置１００について簡単に説明する。
【００４４】
成分測定装置１００は、試験具１０が着脱自在に装着される試験具装着部１０１を有している。試験具装着部１０１は、筒状をなしており、先端に開放するリング状の凹部１０２が形成されている。また、凹部１０２の外周側の内壁は、中心方向に向かって山型状に突出した部分（縮径部１０３）を有する。
【００４５】
また、試験具装着部１０１の筒内部には、発光素子（発光ダイオード）と、受光素子（フォトダイオード）とを有する測光部（図示せず）が設けられている。発光素子は、例えば所定の時間間隔でパルス光を発する。
【００４６】
また、成分測定装置１００は、マイクロコンピュータで構成される制御手段（図示せず）を有している。この制御手段には、測光部からの信号に基づいて目的とする血中成分（例えばブドウ糖）を算出する演算部が内蔵されている。
【００４７】
装着状態の成分測定装置１００では、試験具１０の試験紙５０に検体が供給され展開し、次いで、測定が行われる。発光素子から発せられた光は、試験具１０の試験紙５０に照射され、その反射光が受光素子で検出される。この反射光の強度は、試験紙５０の呈色強度、すなわち検体中の目的成分の量（濃度）に対応している。この反射光は、受光素子で光電変換され、その受光光量に応じたアナログ信号がデジタル信号に変換された後制御手段に入力され、所望の演算処理、補正処理等がなされ、検体中の目的成分量が定量化される（血糖値が求まる）。
【００４８】
そして、測定終了後は、試験具装着部１０１に内蔵されているピン（イジェクトピン）１０４を先端方向へスライドさせ、ピン１０４の先端で試験具１０の試験具本体２０（下面２３０）を押圧し、試験具１０を試験具装着部１０１から取り外す。取り外された使用済みの試験具１０は、廃棄処分に供される。このとき、試験具１０は、収納されていた収納容器２が予め被せられ、その収納容器２ごと取り外して廃棄される。これにより、周囲の汚染や感染をより確実に防止することができる。
【００４９】
各図に示すように、試験具１０および乾燥剤６０を収納する収納容器２は、ケーシング３と、ケーシング３の内周部に設けられた保持部４と、ケーシング３の外周部に設けられた６本のリブ（外側リブ）５ａ、５ｂ、５ｃ、５ｄ、５ｅ、５ｆとを有している。収納容器２は、これらの部位が一体的に形成されたものであり、その構成材料としては、特に限定されず、例えば、樹脂材料を適宜選択して用いることができる。
【００５０】
図５、図６に示すように、ケーシング３は、有底筒状をなす部材、すなわち、先端側が閉塞し、基端側が開口した部材で構成されている。このケーシング３の内腔部（収納空間）３２に、試験具１０および乾燥剤６０が収納される。
【００５１】
ケーシング３は、その側壁（外周部および内周部）の中心軸Ｏ方向の途中に、段差部３１が形成されている。この段差部３１は、ケーシング３の外径および内径が急峻に変化することにより形成された部分である。このような段差部３１を有するケーシング３は、段差部３１の先端側に位置する小径部３３と、段差部３１の基端側に位置する大径部３４とに分けられる。大径部３４の外径および内径は、それぞれ、小径部３３の外径および内径よりも大きい。
【００５２】
小径部３３には、乾燥剤６０が収納されている。この乾燥剤６０は、先端壁部（先端閉塞部）３５の内側面に当接しており、ケーシング３の中心軸Ｏ方向の位置決めがなされている。このように小径部３３は、乾燥剤６０を収納する乾燥剤収納部として機能している。
【００５３】
図４に示すように、小径部３３には、その内周部の途中から先端方向に向かって（中心軸Ｏ方向に沿って）６本のリブ（内側リブ）３３１が形成されている。これらのリブ３３１は、中心軸Ｏ回りに等角度間隔に配置されている。このようなリブ３３１により、乾燥剤６０が支持、挟持されることとなり、当該乾燥剤６０がケーシング３から不本意に離脱するのが防止される。なお、６本のリブ３３１と、ケーシング３の外周部に形成された６本のリブ５ａ〜５ｆとは、中心軸Ｏ回りに３０°ズレて配置されている（図４参照）。
【００５４】
また、図３、図５、図６に示すように、小径部３３には、リブ３３１よりも基端側の部分に、６本の溝３３２が形成されている。成分測定装置１００に装着されて使用された試験具１０は、成分測定装置１００から取り外される際には、再度収納容器２内に収納される。このとき、溝３３２がないと、試験具１０が収納容器２内に挿入されるのに伴って当該収納容器２内の圧力が急激に上昇し、試験紙５０に展開した血液が成分測定装置１００側に飛散してしまう。溝３３２を設けることで、収納容器２内の空気が各溝３３２を介して排出されるため、その圧力上昇が抑制され、試験紙５０からの血液の飛散を確実に防止することができる。なお、６本の溝３３２は、それぞれ、ケーシング３の外周部に形成された６本のリブ５ａ〜５ｆに対応して、すなわち、６本のリブ５ａ〜５ｆの内腔側に配置されている（図３参照）。
【００５５】
図５、図６に示すように、大径部３４には、試験具１０のほとんどが収納されている。このように大径部３４は、試験具１０を収納する試験具収納部として機能している。
【００５６】
また、試験具１０は、大径部３４の内周部の一部（段差部３１近傍の部分）で構成された保持部４によって保持されている。保持部４は、その内径が試験具１０の試験具本体２０の外周部の外径とほぼ同等またはそれより若干小さく設定されており、当該外周部と嵌合することができる（嵌合構造をなす）。これにより、試験具１０を確実に保持することができる。また、保持部４の試験具１０に対する保持力（嵌合力）は、成分測定装置１００の試験具装着部１０１の縮径部１０３と試験具１０の全爪４０との係合力よりも小さく設定されている。これにより、図５、図６に示すように、収納容器２を把持して収納状態の試験具１０を成分測定装置１００に装着して、その後収納容器２を先端方向に向かって引張りさえすれば、収納容器２から試験具１０が確実に離脱する。
【００５７】
図１に示すように、ケーシング３の外周部には、中心軸Ｏ方向に沿って延在する凸条で構成されたリブ５ａ〜５ｆが形成されている。これらのリブ５ａ〜５ｆは、それぞれ、ケーシング３の小径部３３に、その周方向に沿って等間隔に配置されている。リブ５ａ〜５ｆは、それぞれ、同じ構成（形状）であるため、以下、リブ５ａについて代表的に説明する。
【００５８】
図３、図４に示すように、リブ５ａは、その横断面形状がほぼ四角形（矩形）をなしている。このリブ５ａと同様に、リブ５ｂ〜５ｆについても、その横断面形状がほぼ四角形（矩形）をなしている。このようなリブ５ａ〜５ｆが形成されていることにより、図７に示すように収納容器２を３本の指（図７に示す構成では右手の親指Ｆ１、人差し指Ｆ２、中指Ｆ３）で把持した際、例えばリブ５ａ〜５ｆのそれぞれの横断面形状が半円状や三角形である場合やリブの形成数が２本〜４本または７本以上である場合に比べて、親指Ｆ１、人差し指Ｆ２、中指Ｆ３が中心軸Ｏ回りに等角度間隔に配置されるとともに、親指Ｆ１の腹（指先）が隣接するリブ５ｂとリブ５ｃとの間に確実に入り込み、人差し指Ｆ２の腹（指先）が隣接するリブ５ｄとリブ５ｅとの間に確実に入り込み、中指Ｆ３の腹（指先）が隣接するリブ５ｆとリブ５ａとの間に確実に入り込む。その結果、各指の安定感が増し、指とリブとの接触面積が増えることで、収納容器２は指で把持し易くなる。また、これとほぼ同様に、図８（図５、図６も同様）に示すように、収納容器２を２本の指（図７に示す構成では右手の親指Ｆ１、人差し指Ｆ２）で把持した際にも、親指Ｆ１、人差し指Ｆ２が中心軸Ｏ回りに等角度間隔に配置されるとともに、親指Ｆ１の腹（指先）が隣接するリブ５ａとリブ５ｂとの間に確実に入り込み、人差し指Ｆ２の腹（指先）が隣接するリブ５ｄとリブ５ｅとの間に確実に入り込む。これにより、収納容器２は指で把持し易くなる。
【００５９】
これにより、使用者が例えば手指が不自由であったり、手が震えたり、視力が弱い糖尿病患者であっても、図５、図６に示すような収納状態の試験具１０を１００に装着する操作を確実に行なうことができる。
【００６０】
また、図９に示すように、水平な平面２０１を有するテーブル２００に、シート材７０を剥離した収納容器２を置いた際、平面２０１に当接するリブ５ａとリブ５ｂとの接点間距離（当接間距離）Ｌ１を比較的大きく確保することができる。これにより、収納容器２が転がり難くなる。
【００６１】
また、仮に平面２０１が傾斜していたり、収納容器２が転動するような不本意な力が収納容器２に作用した場合でも、図９に示すように、収納容器２が転動するには、平面２０１に接するリブの接点位置によって重心Ｇの鉛直方向の位置が変化しなければならない（重心Ｇが上下動しなければならない）ため、結果、収納容器２の転動が防止（または抑制）される。
【００６２】
このように収納容器２が転動が防止または抑制される構造となっていることにより、収納状態の収納容器２をテーブル２００に置いたときに、当該収納容器が不本意に転動してしまい、テーブル２００から床（図示せず）に落下してしまう等の不具合が防止される。
【００６３】
図２、図５、図６に示すように、リブ５ａの中心軸Ｏ方向の形成範囲は、ケーシング３の先端３５１からその途中まで、すなわち、小径部３３の全長となっている。このリブ５ａと同様に、リブ５ｂ〜５ｆについても、その中心軸Ｏ方向の形成範囲は、ケーシングの先端からその途中までとなっている。なお、リブ５ａの長さ（全長）Ｌ２は、特に限定されないが、好ましくは８〜１２ｍｍに形成され、ケーシングの長さ（全長）Ｌ３の４０〜１００％であるのが好ましく、５０〜７０％であるのがより好ましい。
【００６４】
このような構成により、収納容器２を指で把持した際の当該指とリブ（リブ５ａ〜５ｆのうちのいずれか）との接触面積や、収納容器２をテーブル２００に載置した際の当該テーブル２００とリブ（リブ５ａ〜５ｆのうちのいずれか）との接触面積を確実に確保することができ、よって、収納容器２が把持し易く、転動し難いものとなる。
【００６５】
図９（図３、図４も同様）に示すように、リブ５ａの頂部５１は、平坦な形状をしている。これにより、例えば、図９中右側の収納容器２のように、収納容器２がテーブル２００上に載置され、当該収納容器２が自身をリブ５ｅの頂部５１で支持する場合、その状態が維持され、よって、収納容器２が転動するのが防止される。ここで、「平坦」とは、中心軸Ｏから頂部５１までの最大距離Ｌ４を半径とする円の曲率よりも小さい曲率のものを言う。
【００６６】
また、図９に示すように、リブ５ａでは、その頂部５１と側部５２との境界部５３が丸みを帯びている。この境界部５３の曲率半径Ｒ１は、特に限定されず、例えば、０．５〜２ｍｍであるのが好ましい。
【００６７】
このような構成により、収納容器２を指で把持した際に、当該指が隣接するリブ同士間（リブ５ａ〜５ｆのうちの隣接するリブ同士間）に入り込み易くなる。これにより、収納容器２を確実に把持することができる。
【００６８】
なお、隣接するリブ同士間の間隔（間隙距離）Ｐ１は、特に限定されず、例えば、２〜１０ｍｍであるのが好ましく、２〜４ｍｍであるのがより好ましい。これにより、前述した、隣接するリブ同士間への指の入り込みがより容易となる。
【００６９】
また、リブ５ａは、中心軸Ｏから頂部５１までの最大距離Ｌ４が５〜１０ｍｍであるのが好ましく、５〜７ｍｍあるのがより好ましい。これにより、例えば、使用者の手の大きさにもよるが、収納容器２が把持し易いものとなる。
【００７０】
また、図９に示すように収納容器２を水平な平面に載置した際の接点間距離Ｌ１は、特に限定されないが、例えば、最大距離Ｌ４の２０〜７０％であるのが好ましく、最大距離Ｌ４の４０〜６０％であるのがより好ましい。これにより、収納容器２がより転動し難いものとなる。
【００７１】
図５に示すように、リブ５ａの高さＨ１は、段差部３１の高さＨ２よりも低くなっている。これにより、リブ５ａ〜５ｆがそれぞれ、ケーシング３の外径が最大の部分（大径部３４）の径方向の外形よりも突出するのが防止され、よって、収納容器２の小型化される。
【００７２】
なお、リブ５ａの高さＨ１は、本実施形態では段差部３１の高さＨ２よりも低くなっているが、これに限定されず、例えば、段差部３１の高さＨ２と同じであってもよい。また、本実施形態では、リブ５ａ〜５ｆの高さＨ１は、互いに同じである。
【００７３】
そして、図３に示すように、リブ５ａは、その高さＨ１が幅Ｗ１よりも小さく設定されている。
【００７４】
また、図５、図６に示すように、収納容器２の先端側の部分には、ブロック状（円柱状）の乾燥剤６０が収納されている。この乾燥剤６０は、試験紙５０の吸湿を防止する機能、すなわち、試験紙５０の乾燥状態を保持する機能を有するものである。この乾燥剤６０としては、各種のものが使用可能であるが、例えば、シリカ、アルミナ、モレキュラーシーブスのような合成ゼオライト、モルデナイト、エリオナイトのような天然ゼオライト、塩化カルシウム、塩化マグネシウムのようなアルカリ土類金属の塩化物、パーライト、活性白土のような粘土鉱物からなる群より選択される少なくとも１種を用いるのが好ましい。これにより、試験紙５０に含まれる試薬の変質や劣化を好適に防止して、精度の高い血糖測定を行うことができる。また、これらのものは、乾燥剤６０としてブロック状に容易に形成することができ、入手も容易である。
【００７５】
また、図５に示すように、未使用状態の試験具包装体１では、乾燥剤６０は、試験具１０よりも先端側、すなわち、試験具１０よりも基端開口部３６に対して遠位に配置されている。このため、使用者は、直接乾燥剤６０に手を触れることなく、試験具１０の装着作業を行なうことができる。
【００７６】
図１に示すように、未使用状態の試験具包装体１では、可撓性を有するシート材７０によって、収納容器２の基端開口部３６が気密的に封止されている。これにより、例えば、未使用状態の試験具包装体１の内部の乾燥状態を確実に維持することができる。そして、試験具包装体１（収納容器２）内の試験具１０を成分測定装置１００に装着して使用するときには、シート材７０は収納容器２から剥離される（図５参照）。前述したようにシート材７０は可撓性を有しているため、シート材７０を剥離する操作（剥離操作）を容易に行なうことができる。
【００７７】
なお、シート材７０は、例えば接着（接着剤や溶媒による接着）により、収納容器２の基端開口部３６に固定されているのが好ましい。これにより、シート材７０が収納容器２に確実に固定され、また、固定されたシート材７０を剥離する操作を容易に行なうことができる。
【００７８】
また、シート材７０は、剥離操作を行なう際に指先で摘まれるタブ７１０を有している。これにより、剥離操作を容易に行なうことができる。
【００７９】
また、シート材７０の構成材料としては、特に限定されず、例えば、アルミラミネートフィルム等の防湿効果を有するものを用いることができる。
【００８０】
＜第２実施形態＞
図１０は、本発明の試験具包装体（収納容器）の第２実施形態を示す平面図である。
【００８１】
以下、この図を参照して本発明の収納容器および試験具包装体の第２実施形態について説明するが、前述した実施形態との相違点を中心に説明し、同様の事項はその説明を省略する。
【００８２】
本実施形態は、収納容器のリブの高さが異なること以外は前記第１実施形態と同様である。
【００８３】
図１０に示す収納容器２Ａでは、隣接するリブ同士は、互いに高さおよび幅が異なっている、すなわち、リブ５ａ’、５ｃ’、５ｅ’が高さＨ３が低いリブとなっており、リブ５ｂ、５ｄ、５ｆが高さＨ１が高いリブとなっており、これらのリブ５ａ’〜５ｆがケーシング３の周方向に沿って交互に配置されている。さらに、高さＨ３の低いリブ５ａ’、５ｃ’、５ｅ’の幅は、高さＨ１が高いリブ５ｂ、５ｄ、５ｆの幅よりも広くなっている。これにより、収納容器２Ａを複数の指で把持した際、それらのうちの１本の指が例えばリブ５ａ’を跨いでリブ５ｂとリブ５ｆとの間に入り込み、当該指と収納容器２Ａとの接触面積を比較的広く確保することができる。その結果、収納容器２Ａを指でより把持し易くなり、さらに、転がり防止効果が向上する。
【００８４】
なお、高さＨ１は、特に限定されないが、例えば、２〜８ｍｍであるのが好ましく、３〜５ｍｍであるのがより好ましい。また、高さＨ３は、特に限定されないが、例えば、１〜５ｍｍであるのが好ましく、１．５〜２．５ｍｍであるのがより好ましい。そして、高さＨ１と高さＨ３との差は、特に限定されないが、例えば、２〜７ｍｍであるのが好ましく、２〜４ｍｍであるのがより好ましい。また、高さＨ３が低いリブ５ａ’を介して対向するリブ５ｂとリブ５ｆとの内側の境界部５３同士の間隔Ｐ２は、特に限定されないが、例えば、５〜１５ｍｍであるのが好ましく、８〜１２ｍｍであるのがより好ましい。
【００８５】
このような設定により、前述した収納容器２Ａが指でより把持し易いものであると顕著に感じることの他、収納容器２Ａをテーブル２００に載置した際の不本意な転動を確実に防止することができる。
【００８６】
＜第３実施形態＞
図１１は、本発明の試験具包装体（収納容器）の第３実施形態を示す斜視図である。なお、以下では、説明の都合上、図１１中の右上側を「基端」、左下側を「先端」と言う。
【００８７】
以下、この図を参照して本発明の収納容器および試験具包装体の第３実施形態について説明するが、前述した実施形態との相違点を中心に説明し、同様の事項はその説明を省略する。
【００８８】
本実施形態は、収納容器のリブの長さが異なること以外は前記第１実施形態と同様である。
【００８９】
図１１に示す収納容器２Ｂでは、隣接するリブ同士は、互いに長さが異なっており、先端の位置が中心軸Ｏ方向にズレている。本実施形態では、リブ５ａ、５ｃ、５ｅが長さが長いリブとなっており、リブ５ｂ’、５ｄ’、５ｆ’が長さが短いリブとなっており、これらのリブ５ａ〜５ｆ’がケーシング３の周方向に沿って交互に配置されている。
【００９０】
このような構成により、収納容器２Ｂを複数の指で把持した際、それらのうちの１本の指が、例えば収納容器２Ｂのリブ５ａとリブ５ｅとの間であって、リブ５ｆ’の先端５４から先端側の部分に入り込み、当該指と収納容器２Ｂとの接触面積を比較的広く確保することができる。その結果、収納容器２Ｂは指で把持し易く、成分測定装置１００に装着するとき押し付け易くなる。
【００９１】
＜第４実施形態＞
図１２は、本発明の試験具包装体（収納容器）の第４実施形態を示す横断面図である。
【００９２】
以下、この図を参照して本発明の収納容器および試験具包装体の第４実施形態について説明するが、前述した実施形態との相違点を中心に説明し、同様の事項はその説明を省略する。
【００９３】
本実施形態は、収納容器のリブの横断面形状が異なること以外は前記第１実施形態と同様である。
【００９４】
前記第１実施形態の収納容器２では、リブ５ａ〜５ｆはそれぞれ中実となっているが、本実施形態の図１２に示す収納容器２Ｃでは、リブ５ｇ、５ｈ、５ｉ、５ｊ、５ｋ、５ｍはそれぞれ中空となっている。また、リブ５ｇ〜５ｍは、それぞれ、その内部空間５５がケーシング３の内腔部３２と連通している。
このような構成は、例えば、収納容器２Ｃの軽量化に寄与する。
【００９５】
＜第５実施形態＞
図１３は、本発明の試験具包装体（収納容器）の第５実施形態を示す横断面図である。
【００９６】
以下、この図を参照して本発明の収納容器および試験具包装体の第５実施形態について説明するが、前述した実施形態との相違点を中心に説明し、同様の事項はその説明を省略する。
【００９７】
本実施形態は、収納容器のリブの形成数が異なること以外は前記第１実施形態と同様である。
【００９８】
前記第１実施形態の収納容器２は、６本のリブ５ａ〜５ｆを有するものであるが、本実施形態の図１３に示す収納容器２Ｄでは、５本のリブ５ａ〜５ｅが等間隔に並ぶものである。この収納容器２Ｄでも前記第１実施形態の収納容器２と同様の効果を得る。
【００９９】
＜第６実施形態＞
図１４は、本発明の試験具包装体（収納容器）の第６実施形態を示す横断面図である。
【０１００】
以下、この図を参照して本発明の収納容器および試験具包装体の第６実施形態について説明するが、前述した実施形態との相違点を中心に説明し、同様の事項はその説明を省略する。
【０１０１】
本実施形態は、収納容器のリブの横断面形状が異なること以外は前記第４実施形態と同様である。
【０１０２】
前記第４実施形態の収納容器２Ｃは、６本のリブ５ｇ〜５ｍが中空となったものであるが、本実施形態の図１４に示す収納容器２Ｅでは、リブ５ｇ〜５ｍのうちの２本のリブ５ｇおよび５ｈがそれぞれ中空となったものである。これにより、収納容器２Ｅの重心Ｇが中心軸Ｏに対して偏心する、すなわち、重心Ｇが中心軸Ｏからズレる。これにより、収納容器２Ｅをテーブル２００に載置した際、当該収納容器２Ｅは、その重心Ｇが中心軸Ｏよりも下方に位置し易くなるため、不本意な転動がより確実に防止される。
【０１０３】
なお、重心Ｇが中心軸Ｏに対して偏心させる構造としては、本実施形態のようにリブ５ｇおよび５ｈを中実とした（肉厚部を形成した）構造の他、収納容器２Ｅに別体で構成した錘を設置した構造も挙げられる。
【０１０４】
以上、本発明の収納容器および試験具包装体を図示の実施形態について説明したが、本発明は、これに限定されるものではなく、収納容器および試験具包装体を構成する各部は、同様の機能を発揮し得る任意の構成のものと置換することができる。また、任意の構成物が付加されていてもよい。
【０１０５】
また、本発明の収納容器および試験具包装体は、前記各実施形態のうちの、任意の２以上の構成（特徴）を組み合わせたものであってもよい。
【０１０６】
また、各リブは、それぞれ、その途中に、高さおよび幅のうちの少なくとも一方が長手方向に沿って変化した（漸増または漸減した）部分を有していてもよい。
【符号の説明】
【０１０７】
１            試験具包装体
２、２Ａ、２Ｂ、２Ｃ、２Ｄ、２Ｅ  収納容器
３            ケーシング（容器本体）
３１          段差部
３２          内腔部（収納空間）
３３          小径部
３３１        リブ（内側リブ）
３３２        溝
３４          大径部
３５          先端壁部（先端閉塞部）
３５１        先端
３６          基端開口部（開口部）
４            保持部
５ａ、５ａ’、５ｂ、５ｂ’、５ｃ、５ｃ’、５ｄ、５ｄ’、５ｅ、５ｅ’、５ｆ、５ｆ’、５ｇ、５ｈ、５ｉ、５ｊ、５ｋ、５ｍ  リブ（外側リブ）
５１          頂部
５２          側部
５３          境界部
５４          先端
５５          内部空間
１０          試験具
２０          試験具本体（本体部）
２１０        支持部
２３０        下面（基端面）
３０          細管
３１０        検体導入流路
３２０        検体流入口
３３０        検体流出口
３４０        溝
４０          爪
４２０        突部
５０          試験紙
６０          乾燥剤
７０          シート材
７１０        タブ
１００        成分測定装置（体液成分測定装置）
１０１        試験具装着部
１０２        凹部
１０３        縮径部
１０４        ピン（イジェクトピン）
２００        テーブル
２０１        平面
Ｆ１          親指
Ｆ２          人差し指
Ｆ３          中指
Ｇ            重心
Ｈ１、Ｈ２、Ｈ３  高さ
Ｌ１          接点間距離（当接間距離）
Ｌ２、Ｌ３    長さ（全長）
Ｌ４          最大距離
Ｏ            中心軸
Ｐ１          間隔（間隙距離）
Ｐ２          間隔
Ｒ１          曲率半径
Ｗ１          幅
【図１】
2010162170.tif 000003
【図２】
2010162170.tif 000004
【図３】
2010162170.tif 000005
【図４】
2010162170.tif 000006
【図５】
2010162170.tif 000007
【図６】
2010162170.tif 000008
【図７】
2010162170.tif 000009
【図８】
2010162170.tif 000010
【図９】
2010162170.tif 000011
【図１０】
2010162170.tif 000012
【図１１】
2010162170.tif 000013
【図１２】
2010162170.tif 000014
【図１３】
2010162170.tif 000015
【図１４】
2010162170.tif 000016